(57)【特許請求の範囲】
【請求項１】
原画像に複数の処理を順に施し、異なる処理段階の画像を同時に表示する画像処理装置であって、
前記原画像を記憶する第１の画像記憶手段と、
複数の表示領域に個別に画像を表示可能であり、かつ、複数の第２の画像記憶手段に記憶されているそれぞれの画像を個別に表示可能な複数の表示領域を有する表示手段と、
前記複数の表示領域のうちのひとつを指定する表示領域指定手段と、
前記第１の画像記憶手段から前記原画像を前記複数の第２の画像記憶手段のうち指定された表示領域に対応するものへ読み込ませる第１の読込手段と、
前記複数の第２の画像記憶手段のうち指定された表示領域に対応するものに記憶されている画像に前記複数の処理を順に施す処理手段と、
前記複数の第２の画像記憶手段のうち指定された表示領域以外の所定のひとつの表示領域に対応するものに記憶されてる画像を前記第１の画像記憶手段を介さずに前記複数の第２の画像記憶手段のうち前記指定された表示領域に対応するものに読み込ませる第２の読込手段と、
前記原画像に前記複数の処理を順に施すごとに得られる複数の処理段階を順に記憶する処理段階記憶手段と、
前記複数の処理段階から指定された表示領域に表示すべき画像の処理段階である指定処理段階を指定する処理段階指定手段と、
を備え、
前記複数の表示領域のそれぞれについて、表示されている画像の処理段階を記憶する表示処理段階記憶手段が付随しており、
前記第２の読込手段が、前記複数の第２の画像記憶手段のうち前記指定された表示領域以外の表示領域に表示された画像を記憶しているものの中から、前記指定処理段階以前の処理段階であって前記指定処理段階に最も近い処理段階の画像を読み出して、前記第１の画像記憶手段を介さずに前記複数の第２の画像記憶手段のうち前記指定された表示領域に対応するものに読み込ませ、
前記処理手段が、前記複数の第２の画像記憶手段のうち前記指定された表示領域に対応するものに記憶された画像に処理を施すことにより、前記指定された表示領域に前記指定処理段階の画像を表示させることを特徴とする画像処理装置。
【請求項２】
原画像に複数の処理を順に施し、異なる処理段階の画像を複数の表示領域に同時に表示する画像処理方法であって、
複数の第２の画像記憶手段に記憶されているそれぞれの画像を個別に複数の表示領域に表示する表示工程と、
前記複数の表示領域のうちのひとつを指定する表示領域指定工程と、
前記原画像を記憶する第１の画像記憶手段から前記原画像を前記複数の第２の画像記憶手段のうち指定された表示領域に対応するものへ読み込ませる第１の読込工程と、
前記複数の第２の画像記憶手段のうち指定された表示領域に対応するものに記憶されている画像に前記複数の処理を順に施す処理工程と、
前記複数の第２の画像記憶手段のうち前記指定された表示領域以外の所定のひとつの表示領域に対応するものに記憶されてる画像を前記第１の画像記憶手段を介さずに前記複数の第２の画像記憶手段のうち前記指定された表示領域に対応するものに読み込ませる第２の読込工程と、
前記原画像に前記複数の処理を順に施すごとに得られる複数の処理段階を順に記憶する処理段階記憶工程と、
前記複数の表示領域のそれぞれに表示されている画像の処理段階を記憶する表示処理段階記憶工程と、
前記複数の処理段階から指定された表示領域に表示すべき画像の処理段階である指定処理段階を指定する処理段階指定工程と、
前記複数の第２の画像記憶手段のうち前記指定された表示領域以外の表示領域に表示された画像を記憶しているものの中から、前記指定処理段階以前の処理段階であって前記指定処理段階に最も近い処理段階の画像を読み出して、前記第１の画像記憶手段を介さずに前記複数の第２の画像記憶手段のうち前記指定された表示領域に対応するものに読み込ませ、前記複数の第２の画像記憶手段のうち前記指定された表示領域に対応するものに記憶された画像に処理を施すことにより、前記指定された表示領域に前記指定処理段階の画像を表示させる指定画像表示工程と、
を有することを特徴とする画像処理方法。
【発明の詳細な説明】
【０００１】
【発明の属する技術分野】
この発明は、画像に色彩の変更や輪郭強調などの複数の処理を順に施し、異なる処理段階の画像を同時に表示する画像処理装置および画像処理方法に関するものである。
【０００２】
【発明の背景】
画像を電子化された情報として記憶し、この電子化された画像（以下、単に「画像」という。）に色彩・階調の変更、輪郭強調、版替え、あるいは、一部の領域を他の領域にコピーするなどといった処理を施す画像処理装置では、その処理の適否を判断するために、オペレータが処理前後の画像をディスプレイ上の複数のウィンドウなどに同時に表示させて比較する手法が用いられる。
【０００３】
ここで、例えば、ディスプレイ上にウィンドウ１２１ａとウィンドウ１２１ｂとが表示されており、ウィンドウ１２１ａの画像が原画像に処理Ｔ１が施された状態である処理段階Ｓ１となっており、ウィンドウ１２１ｂの画像が原画像に処理Ｔ１、処理Ｔ２、・・・、処理Ｔ５が順に施された状態である処理段階Ｓ５となっている場合に、処理段階Ｓ１の画像と、処理段階Ｓ１と処理段階Ｓ５との間の処理段階である処理Ｔ３が施された時点での処理段階Ｓ３の画像とを比較したいとオペレータが気付いたとき、オペレータは次のような手順で処理段階Ｓ１の画像と処理段階Ｓ３の画像とをディスプレイに同時に表示させる。
【０００４】
・ウィンドウ１２１ｂの画像を破棄する（処理過程Ｐ１０１）。
・ウィンドウ１２１ａの処理段階Ｓ１の画像を固定ディスクに保存する（処理過程Ｐ１０２）。
・固定ディスクから処理段階Ｓ１の画像をウィンドウ１２１ｂに読み込む（処理過程Ｐ１０３）。
・ウィンドウ１２１ｂの画像に処理Ｔ２、処理Ｔ３を施し、処理段階Ｓ３の画像とする（処理過程Ｐ１０４）。
【０００５】
もちろん、以上のような手法を用いずに、ウィンドウ１２１ｂの画像を一旦破棄した後、ウィンドウ１２１ｂに原画像を読み込み、処理Ｔ１〜Ｔ３を施すようにしてもよい。
【０００６】
また、上記例とは別の状況の例として、ウィンドウ１２１ｂが存在しない状態（あるいは何ら画像が表示されていない状態）において、ウィンドウ１２１ａには原画像に処理Ｔ１が施された処理段階Ｓ１の画像が表示されているときに処理段階Ｓ１の画像と処理段階Ｓ３の画像とを比較したい場合、ウィンドウ１２１ｂを生成した後（既に存在している場合は不要）上記処理過程Ｐ１０２〜Ｐ１０４の処理を施すか、ウィンドウ１２１ｂに原画像を読み込んで処理Ｔ１〜Ｔ３を施す操作を行う。
【０００７】
【発明が解決しようとする課題】
以上説明してきたように、２つの異なる処理段階Ｓ１および処理段階Ｓ３の画像を同時に表示して比較を行う場合であって、２つのウィンドウに処理段階Ｓ１と処理段階Ｓ５の画像が表示されている場合や処理段階Ｓ１の画像を表示しているウィンドウのみが存在している場合、上記処理過程Ｐ１０２のように固定ディスクなどの記憶手段に対して保存・読出の操作が必要となったり、あるいは、原画像から逐一処理を施していかなければならない。したがって、固定ディスクなどの記憶手段に画像を一時的に保存できるだけの空き容量が要求され、また、操作が煩雑になるという問題を有している。
【０００８】
そこで、この発明は、上記課題に鑑みなされたもので、上記例に示した場合において、画像を一時的に保存する記憶手段が不要であり、また、処理内容を簡略化、処理時間の削減を図ることができる画像処理装置および画像処理方法を提供することを目的とする。
【０００９】
【課題を解決するための手段】
請求項１の発明は、原画像に複数の処理を順に施し、異なる処理段階の画像を同時に表示する画像処理装置であって、前記原画像を記憶する第１の画像記憶手段と、複数の表示領域に個別に画像を表示可能であり、かつ、複数の第２の画像記憶手段に記憶されているそれぞれの画像を個別に表示可能な複数の表示領域を有する表示手段と、前記複数の表示領域のうちのひとつを指定する表示領域指定手段と、前記第１の画像記憶手段から前記原画像を前記複数の第２の画像記憶手段のうち指定された表示領域に対応するものへ読み込ませる第１の読込手段と、前記複数の第２の画像記憶手段のうち指定された表示領域に対応するものに記憶されている画像に前記複数の処理を順に施す処理手段と、前記複数の第２の画像記憶手段のうち指定された表示領域以外の所定のひとつの表示領域に対応するものに記憶されてる画像を前記第１の画像記憶手段を介さずに前記複数の第２の画像記憶手段のうち前記指定された表示領域に対応するものに読み込ませる第２の読込手段と、前記原画像に前記複数の処理を順に施すごとに得られる複数の処理段階を順に記憶する処理段階記憶手段と、前記複数の処理段階から指定された表示領域に表示すべき画像の処理段階である指定処理段階を指定する処理段階指定手段とを備え、前記複数の表示領域のそれぞれについて、表示されている画像の処理段階を記憶する表示処理段階記憶手段が付随しており、前記第２の読込手段が、前記複数の第２の画像記憶手段のうち前記指定された表示領域以外の表示領域に表示された画像を記憶しているものの中から、前記指定処理段階以前の処理段階であって前記指定処理段階に最も近い処理段階の画像を読み出して、前記第１の画像記憶手段を介さずに前記複数の第２の画像記憶手段のうち前記指定された表示領域に対応するものに読み込ませ、前記処理手段が、前記複数の第２の画像記憶手段のうち前記指定された表示領域に対応するものに記憶された画像に処理を施すことにより、前記指定された表示領域に前記指定処理段階の画像を表示させる。
【００１１】
請求項２の発明は、原画像に複数の処理を順に施し、異なる処理段階の画像を複数の表示領域に同時に表示する画像処理方法であって、複数の第２の画像記憶手段に記憶されているそれぞれの画像を個別に複数の表示領域に表示する表示工程と、前記複数の表示領域のうちのひとつを指定する表示領域指定工程と、前記原画像を記憶する第１の画像記憶手段から前記原画像を前記複数の第２の画像記憶手段のうち指定された表示領域に対応するものへ読み込ませる第１の読込工程と、前記複数の第２の画像記憶手段のうち指定された表示領域に対応するものに記憶されている画像に前記複数の処理を順に施す処理工程と、前記複数の第２の画像記憶手段のうち前記指定された表示領域以外の所定のひとつの表示領域に対応するものに記憶されてる画像を前記第１の画像記憶手段を介さずに前記複数の第２の画像記憶手段のうち前記指定された表示領域に対応するものに読み込ませる第２の読込工程と、前記原画像に前記複数の処理を順に施すごとに得られる複数の処理段階を順に記憶する処理段階記憶工程と、前記複数の表示領域のそれぞれに表示されている画像の処理段階を記憶する表示処理段階記憶工程と、前記複数の処理段階から指定された表示領域に表示すべき画像の処理段階である指定処理段階を指定する処理段階指定工程と、前記複数の第２の画像記憶手段のうち前記指定された表示領域以外の表示領域に表示された画像を記憶しているものの中から、前記指定処理段階以前の処理段階であって前記指定処理段階に最も近い処理段階の画像を読み出して、前記第１の画像記憶手段を介さずに前記複数の第２の画像記憶手段のうち前記指定された表示領域に対応するものに読み込ませ、前記複数の第２の画像記憶手段のうち前記指定された表示領域に対応するものに記憶された画像に処理を施すことにより、前記指定された表示領域に前記指定処理段階の画像を表示させる指定画像表示工程とを有する。
【００１３】
【発明の実施の形態】
図１はこの発明に係る第１の実施の形態である画像処理装置１の構成を示す図である。
【００１４】
この画像処理装置１は、表示手段であるディスプレイ２０に２つの表示領域であるウィンドウ２１ａ、２１ｂを生成して２つの異なる画像を表示するものであり、原画像に複数の処理を順に施す場合に、異なる処理段階の画像をこれらのウィンドウに同時に表示させて両画像の比較を行うための装置である。
【００１５】
この装置は画像を表示する２つの表示部２ａ、２ｂ、画像に処理を施す演算処理部３、画像に処理が順に施されるごとに画像の処理段階を順に記憶していく処理段階記憶手段４、オペレータの入力・指定操作ＯＰの内容を演算処理部３に渡す入力手段５、および、原画像を予め記憶しておく第１の画像記憶手段である固定ディスク６から構成される。
【００１６】
また、表示部２ａ、２ｂはそれぞれ画像を表示するウィンドウ２１ａ、２１ｂ、これらのウィンドウに表示すべき画像を記憶する第２の画像記憶手段である画像メモリ２２ａ、２２ｂ、および、表示している画像の処理段階を記憶する表示処理段階記憶手段２３ａ、２３ｂから構成されている。
【００１７】
以上がこの装置１の構成であるが、次に、この装置１の各構成要素の動作について、オペレータの操作ＯＰとともに処理の一例を用いて図２および図３を参照しながら説明する。
【００１８】
なお、ここで説明する例では、まず、オペレータがウィンドウ２１ａに原画像を表示させる処理Ｔ１を行い、この原画像に対して色調変更や輪郭強調などといった処理Ｔ２、処理Ｔ３、…、処理Ｔ６を順に施し（処理過程Ｐ１〜Ｐ６）、次に、ウィンドウ２１ｂに処理Ｔ３が施された時点の処理段階の画像を表示させ（処理過程Ｐ７）、さらに、ウィンドウ２１ａに処理Ｔ５が施された時点の処理段階の画像を表示させる（処理過程Ｐ８）操作を行うものとする（図２）。
【００１９】
まず、オペレータは入力手段５を介して原画像をウィンドウ２１ａに表示させる処理Ｔ１を行うために、ウィンドウ２１ａを指定して、原画像を読み込む「読み込み」コマンドを指定する。この操作に基づいて固定ディスク６から原画像が演算処理部３を介して読み出され、画像メモリ２２ａに記憶されることとなり、原画像がウィンドウ２１ａに表示される。また、このとき、表示処理段階記憶手段２３ａにはウィンドウ２１ａの画像の状態である「読み込み」という処理段階Ｓ１が記憶され、同様に、処理段階記憶手段４においても「読み込み」が処理段階Ｓ１として記憶される（処理過程Ｐ１、図３参照）。なお、この処理Ｔ１では、演算処理部３は原画像を第１の画像記憶手段である固定ディスク６から読み込む第１の読込手段として機能している。
【００２０】
次に、オペレータがウィンドウ２１ａに表示された原画像に施すべき処理を順に入力手段５を介して指定する。これにより、演算処理部３が画像メモリ２２ａに記憶されている画像に対して順に演算処理を施し、処理結果である処理画像がウィンドウ２１ａに表示されることとなる。なお、このとき、処理段階記憶手段４には処理が順に施されるごとに画像の処理段階が順に記憶され、表示されている画像の状態である最終処理段階が表示処理段階記憶手段２３ａに記憶されることとなる（処理過程Ｐ２〜Ｐ６）。
【００２１】
具体例を用いて説明すると、例えば、オペレータが入力手段５を介してウィンドウ２１ａに表示されている原画像に対して、版替え（印刷用の原版に用いる色を相互に入れ替える処理）、色調の変更、階調の変更、輪郭強調などといった処理Ｔ２、処理Ｔ３、…、処理Ｔ６を順に入力・指定する場合、まず、演算処理部３は画像メモリ２２ａに対して処理Ｔ２を行い、原画像に処理Ｔ２が行われた処理段階Ｓ２の画像がウィンドウ２１ａに表示される。このとき、表示処理段階記憶手段２３ａにはこの時点での最終処理段階である処理段階Ｓ２が先ほどの処理段階Ｓ１に替わって記憶され、処理段階記憶手段４には、「処理段階Ｓ１→処理段階Ｓ２」というように処理段階リストとして処理段階Ｓ２が追加して記憶される。
【００２２】
同様に、処理Ｔ３、処理Ｔ４、…、処理Ｔ６が入力・指定されると、画像メモリ２２ａに対して順に処理が施され、ウィンドウ２１ａにはこれらの処理が施された画像が表示される。また、このとき、表示処理段階記憶手段２３ａには最終処理段階である処理段階Ｓ６が記憶されることとなり、処理段階記憶手段４にはこれらの処理段階が処理段階リスト「処理段階Ｓ１→処理段階Ｓ２→…→処理段階Ｓ６」として記憶されることとなる（処理過程Ｐ３〜Ｐ６）。
【００２３】
次に、ウィンドウ２１ｂに処理段階Ｓ３での画像を表示させるために、オペレータは入力手段５を介してウィンドウ２１ｂを指定するとともに処理段階リストから処理段階Ｓ３を選択指定する（例えば、処理段階リストをディスプレイ２０に表示し、マウスポインタなどを用いて所望の処理段階を指定する）。この操作により、演算処理部３は処理段階リストを参照しながら画像メモリ２２ｂに対して処理Ｔ１、処理Ｔ２、処理Ｔ３を施し、処理段階Ｓ３の状態の画像がウィンドウ２１ｂに表示されることとなる。また、このとき、表示処理段階記憶手段２３ｂには処理段階Ｓ３が記憶され、処理段階記憶手段４の記憶内容は変更されない（処理過程Ｐ７）。
【００２４】
次に、ウィンドウ２１ａに処理段階Ｓ５での画像を再表示させるために、オペレータは入力手段５を介してウィンドウ２１ａを指定するとともに処理段階リストから処理段階Ｓ５を選択指定する。このとき、演算処理部３は画像メモリ２２ａに対して処理Ｔ１から処理Ｔ６を順に施すのではなく、画像メモリ２２ｂに記憶されている処理段階Ｓ３の画像をまず画像メモリ２２ａに固定ディスク６を介さず直接読み込ませ、その後、処理Ｔ４、処理Ｔ５を施すことによりウィンドウ２１ａに処理段階Ｓ５の画像を表示させる（処理過程Ｐ８）。このように演算処理部３がひとつの第２の画像記憶手段である画像メモリから他の画像メモリへ直接画像を読み込ませる第２の読込手段および読み込まれた画像に処理を施す処理手段として機能することにより、固定ディスク６に画像を一時的に保存するだけの空き容量は要求されることなく、また、処理Ｔ１において行われる固定ディスク６からの原画像の読み出しも不要となり、処理時間が大幅に削減できる。また、画像メモリ２２ａに施される処理も処理Ｔ４、処理Ｔ５のみであり、さらに処理時間の削減が実現される。
【００２５】
以上、この発明に係る画像処理装置１の処理内容の例について図２および図３を用いて説明したが、この装置の動作特徴を一般的に説明すると次のようになる。すなわち、一連の処理を順に原画像に施すことにより得られる処理段階のリストから、ある処理段階を指定して当該処理段階の画像をウィンドウに表示させる場合に、最初の処理から順に施すのではなく、まず、他のウィンドウに表示されている画像の処理段階を表示処理段階記憶手段の記憶内容を参照して調べ、他のウィンドウの画像の処理段階が表示させたい処理段階以前のものである場合は、他のウィンドウの画像を固定ディスクを介さずに表示させたいウィンドウの画像メモリに読み込み、その後、不足している処理を施すという処理方法が用いられることがこの画像処理装置の特徴となっている。
【００２６】
したがって、処理段階記憶手段４に処理段階Ｓ６までの処理段階リストが記憶されており、ウィンドウ２１ａに処理段階Ｓ６の画像が表示されている場合に、ウィンドウ２１ｂに処理段階Ｓ６の画像を表示させたい場合においても、ウィンドウ２１ａの画像を一時的に固定ディスク６に保存してからウィンドウ２１ｂに読み出すのではなく、また、ウィンドウ２１ｂに処理Ｔ１から処理Ｔ６を順に施すのでもなく、ウィンドウ２１ａに対応する画像メモリ２２ａに記憶されている画像が固定ディスク６を介さずウィンドウ２１ｂに対応する画像メモリ２２ｂに読み込まれることとなる。これにより、例えば、ウィンドウ２１ａに処理段階Ｓ６の画像が表示されており、ウィンドウ２１ｂに処理段階Ｓ６の画像を表示させ、その後、ウィンドウ２１ｂの画像に対してさらに処理Ｔ７を施したい場合においても上記例と同様、固定ディスク６に一旦処理段階Ｓ６の画像を保存する必要はなく、処理内容の簡素化、処理時間の削減を図ることができる。
【００２７】
なお、上記実施の形態では、説明を簡潔に行うためにウィンドウが２つしか存在しない場合について説明したが、３つ以上ウィンドウが存在する場合では、他のウィンドウに表示されている画像から、表示させたい画像の処理段階以前の処理段階であって最も近い処理段階の画像を表示処理段階記憶手段の記憶内容を参照して調べ、この画像を表示させたいウィンドウの画像メモリに直接読み込むこととなる。例えば、ウィンドウ２１ｂに処理段階Ｓ３の画像が表示されており、ウィンドウ２１ｃに処理段階Ｓ４の画像が表示されている場合に、ウィンドウ２１ａに処理段階Ｓ５の画像を表示させる場合には、ウィンドウ２１ｃの第２の画像記憶手段である画像メモリ２２ｃの記憶内容が直接ウィンドウ２１ａの画像メモリ２２ａに読み込まれ、その後、処理Ｔ５が施されることとなる。このような操作・処理の主な流れを示したものが図４および図５である。
【００２８】
これにより、固定ディスク６に画像を一時的に保存する必要はなく、固定ディスク６の空き容量に注意を払う必要もない。また、固定ディスク６から画像を読み出すという処理Ｔ１や、画像処理である処理Ｔ２から処理Ｔ６が省略され、処理時間が大幅に削減可能となる。
【００２９】
なお、他のウィンドウが表示させたい処理段階の画像よりも後の処理段階の画像を表示している場合は、このような処理の簡略化は不可能であるので、最初の処理から目的の処理段階まで順に処理が施されることとなる（図５参照）。
【００３０】
以上、この発明の一の実施の形態である画像処理装置１の処理動作について説明してきたが、この発明は上記実施の形態に限定されるものではない。
【００３１】
例えば、上記実施の形態では、第１の画像記憶手段として固定ディスク６を用いているが、これは大容量の記憶媒体の一例として示したものであって、画像を記憶できる手段であれば何であってもよい。
【００３２】
また、上記実施の形態では、複数の表示領域であるウィンドウを１つのディスプレイに表示するようにしているが、複数のディスプレイに個別に複数の画像を表示するようにしてももちろんよい。
【００３３】
また、上記実施の形態では、画像処理の例として原画像の読み込み、色調の変更、輪郭強調などを行うとしているが、第２の画像記憶手段である画像メモリに作用するものであればどのようなものであってもよい。例えば、マウスポインタなどを用いて画像の任意の領域をぼかす場合であれば、この処理を行うためにマウスポインタを動かしている間の処理を一処理として扱うようにしてもよい。
【００３４】
また、上記実施の形態では、表示すべき処理段階以前の処理段階の画像が他のウィンドウに表示されていない場合は、固定ディスク６から原画像を読み出し、順に処理を行うようにしているが、これは一般に画像処理は不可逆的な処理が施されるからであり、色調の変更などの可逆的な処理の場合は逆変換するようにしてもよい。また、例えば、１つ前の処理段階の画像を別途記憶しておくようにしておき、１つ前の処理段階の画像は無条件に呼び出せるようにしてもよい。
【００３５】
さらに、上記実施の形態では、処理段階記憶手段４、表示処理段階記憶手段２３ａ、２３ｂを利用して、指定された処理段階の画像を表示するようにしているが、これらを有しない画像処理装置であっても、ある画像メモリから他の画像メモリに固定ディスク６を介さず読み込みができるものであれば、固定ディスク６へのアクセス回数が減少し、処理時間の削減を図ることができる。また、画像を一時的に固定ディスク６に保存することなく効率よく処理を施すことができるので、固定ディスク６を有効に利用することができる。
【００３６】
【発明の効果】
以上説明したように、請求項１記載の発明では、ある表示領域に表示されている画像を他の指定された表示領域に表示する場合に、この画像が記憶されている第２の画像記憶手段から第１の画像記憶手段を介することなく指定された表示領域に対応する第２の画像記憶手段に読み込むことができる。また、指定処理段階以前の処理段階の画像がいずれかの表示領域に表示されている場合に、この表示領域に対応する第２の画像記憶手段から指定された表示領域に対応する第２の画像記憶手段に第１の画像記憶手段を介さずに画像を読み込んだ後に処理を施すことにより指定処理段階の画像を指定された表示領域に表示する。これにより、第１の画像記憶手段に画像を一時的に記憶するだけの空き容量が要求されず、また、原画像から逐一処理を施す必要もない。その結果、第１の画像記憶手段に要求される記憶容量を削減するとともに処理内容の簡略化、処理時間の削減を図ることができる。
【００３８】
請求項２記載の発明では、ある表示領域に表示されている画像を他の指定された表示領域に表示する場合に、この画像が記憶されている第２の画像記憶手段から第１の画像記憶手段を介することなく指定された表示領域に対応する第２の画像記憶手段に直接読み込む。また、指定処理段階以前の処理段階の画像がいずれかの表示領域に表示されている場合に、この表示領域に対応する第２の画像記憶手段から指定された表示領域に対応する第２の画像記憶手段に第１の画像記憶手段を介さずに画像を読み込んだ後に処理を施すことにより、指定処理段階の画像を指定された表示領域に表示する。その結果、請求項１記載の発明と同様、第１の画像記憶手段に要求される記憶容量を削減するとともに処理内容の簡略化、処理時間の削減を図ることができる。
【図面の簡単な説明】
【図１】この発明に係る画像処理装置の一の実施の形態の構成を示す図である。
【図２】処理内容の一例を示す図である。
【図３】表示処理段階記憶手段および処理段階記憶手段の記憶内容の変化を示す図である。
【図４】この発明に係る画像処理装置における操作および動作の流れを示す流れ図である。
【図５】この発明に係る画像処理装置における操作および動作の流れを示す流れ図である。
【符号の説明】
１  画像処理装置
２ａ、２ｂ  表示部
３  演算処理部
４  処理段階記憶手段
５  入力手段
６  固定ディスク
２１ａ、２１ｂ  ウィンドウ
２２ａ、２２ｂ  画像メモリ
２３ａ、２３ｂ  表示処理段階記憶手段
Ｓ１、Ｓ２、…、Ｓ６  処理段階
【図１】
0003560740.tif 000002
【図２】
0003560740.tif 000003
【図３】
0003560740.tif 000004
【図４】
0003560740.tif 000005
【図５】
0003560740.tif 000006